(57)【特許請求の範囲】
【請求項１】
有効化により使用可能となり入金額が可変な価値カードの商品コードと、当該価値カードを識別するためのカード識別情報とを読み取って受付けるコード受付手段と、
前記商品コードごとに、当該価値カードが任意の入金額を指定して購入する第１設定であるか、あるいは、複数の固定入金額から１つを選択して購入する第２設定であるかを設定した設定記憶手段から、前記コード受付手段が受付けた前記商品コードに対応する設定を読み込む設定読込手段と、
前記第１設定であれば、前記入金額の入力を受付ける金額入力画面を表示し、前記第２設定であれば、前記複数の固定入金額を表示するとともに当該複数の固定入金額から１つの固定入金額の選択を受付ける金額選択画面を表示する表示制御手段と、
前記金額入力画面または前記金額選択画面から、前記入金額の入力を受付ける入金額受付手段と、
前記価値カードを有効化するための有効化情報として、前記コード受付手段が受付けた前記カード識別情報と、前記入金額受付手段が受付けた前記入金額とを対応付けて出力する有効化情報出力手段と、
を備えた販売データ処理装置。
【請求項２】
前記設定記憶手段には、前記第１設定について入金可能範囲が設定され、
前記表示制御手段は、前記金額入力画面において前記入金可能範囲を表示する、請求項１に記載の販売データ処理装置。
【請求項３】
前記入金額受付手段が入金可能範囲外の前記入金額を受付けると、当該入金額は前記入金可能範囲の範囲外である旨を報知するエラー報知手段を更に備える、請求項１または２に記載の販売データ処理装置。
【請求項４】
所定期間内の取引内容をまとめる点検レポートにおいて、前記価値カードの販売記録を、前記価値カードの前記入金額ごと、あるいは、前記価値カードの入金額の金額範囲ごとに分けて計上するレポート生成手段を更に備える、請求項１ないし３のいずれか１つに記載の販売データ処理装置。
【請求項５】
前記設定記憶手段は、前記入金額あるいは入金額の金額範囲に応じて第２商品コードを記憶し、
当該設定記憶手段から、前記入金額受付手段が受付けた前記入金額に対応する前記第２商品コードを読み込む第２商品コード読込手段と、
前記コード受付手段が受付けた前記価値カードの前記商品コードと、前記入金額受付手段が受付けた前記入金額と、前記第２商品コード読込手段が読み込んだ前記第２商品コードとを対応付けて、前記価値カードの売上データを生成する売上データ生成手段とを備え、
前記レポート生成手段は、所定期間内における前記売上データに基づいて、前記価値カードの販売記録を前記入金額ごと、あるいは前記入金額の金額範囲ごとに分けて計上する、請求項４に記載の販売データ処理装置。
【請求項６】
販売データ処理装置において、コンピュータを、
有効化により使用可能となり入金額が可変な価値カードの商品コードと、当該価値カードを識別するためのカード識別情報とを読み取って受付けるコード受付手段と、
前記商品コードごとに、当該価値カードが任意の入金額を指定して購入する第１設定であるか、あるいは、複数の固定入金額から１つを選択して購入する第２設定であるかを設定した設定記憶手段から、前記コード受付手段が受付けた前記商品コードに対応する設定を読み込む設定読込手段と、
前記第１設定であれば、前記入金額の入力を受付ける金額入力画面を表示し、前記第２設定であれば、前記複数の固定入金額を表示するとともに当該複数の固定入金額から１つの固定入金額の選択を受付ける金額選択画面を表示する表示制御手段と、
前記金額入力画面または前記金額選択画面から、前記入金額の入力を受付ける入金額受付手段と、
前記価値カードを有効化するための有効化情報として、前記コード受付手段が受付けた前記カード識別情報と、前記入金額受付手段が受付けた前記入金額とを対応付けて出力する有効化情報出力手段と、
として機能させるプログラム。
【発明の詳細な説明】
【技術分野】
【０００１】
本発明の実施形態は、販売データ処理装置およびプログラムに関する。
【背景技術】
【０００２】
近年、ＰＯＳ（Point  Of  Sales）レジにて支払いが確定した時点で対象のプリペイド式カードの価値を有効化する、ＰＯＳＡ（登録商標、Point  Of  Sales  Activation）カードの販売が拡大傾向にある。以下では、ＰＯＳＡ（登録商標）カードのことを「価値カード」と称する。このように有効化処理を介することで、支払い前の価値カードを無価値の状態にしておくことができる。従って店舗側は、盗難対策や在庫管理等のリスク無く、価値カードを陳列販売できる。客は、他の商品同様、価値カードを商品陳列棚から手に取って選ぶことができるので、店側は価値カードの販売促進も図ることができる。
【０００３】
ところで昨今、客が価値カードへの入金額を指定できるバリアブルタイプの価値カードが販売開始となった。一例として、入金可能範囲が予め設定され、当該入金可能範囲から客が入金額を任意に決められる金額入力型の価値カードが販売されている。また別の例として、複数の固定金額が予め設定され、当該固定金額から客が入金額を選択できる金額選択型の価値カードも販売されている。
【０００４】
このようなバリアブルタイプの価値カードの販売時においては、店員は、客が指定した金額を販売都度入力して、データ登録しなければならない。また、今後、バリアブルタイプの価値カードを提供するサービス提供会社が増加することも考えられるので、金額入力を要するカード種類も増加することが見込まれる。そこで、バリアブルタイプの価値カードについて、ＰＯＳレジでの金額入力操作を簡便化し、登録処理を簡便化することが望まれている。
【発明の概要】
【発明が解決しようとする課題】
【０００５】
本発明が解決しようとする課題は、入金額が可変である価値カードについて、入金額の登録処理を簡便化することができる販売データ処理装置およびプログラムを提供することである。
【課題を解決するための手段】
【０００６】
実施形態の販売データ処理装置は、コード受付手段と、設定読込手段と、表示制御手段と、入金額受付手段と、有効化情報出力手段と、を備える。コード受付手段は、有効化により使用可能となり入金額が可変な価値カードの商品コードと、当該価値カードを識別するためのカード識別情報とを読み取って受付ける。設定読込手段は、前記商品コードごとに、当該価値カードが任意の入金額を指定して購入する第１設定であるか、あるいは、複数の固定入金額から１つを選択して購入する第２設定であるかを設定した設定記憶手段から、前記コード受付手段が受付けた前記商品コードに対応する設定を読み込む。表示制御手段は、前記第１設定であれば、前記入金額の入力を受付ける金額入力画面を表示し、前記第２設定であれば、前記複数の固定入金額を表示するとともに当該複数の固定入金額から１つの固定入金額の選択を受付ける金額選択画面を表示する。入金額受付手段は、前記金額入力画面または前記金額選択画面から、前記入金額の入力を受付ける。有効化情報出力手段は、前記価値カードを有効化するための有効化情報として、前記コード受付手段が受付けた前記カード識別情報と、前記入金額受付手段が受付けた前記入金額とを対応付けて出力する。
【図面の簡単な説明】
【０００７】
【図１】図１は、本実施形態にかかるカード販売システムの概略構成図である。
【図２】図２は、本部サーバのハードウェア構成を示すブロック図である。
【図３】図３は、価値カードマスタのデータ構成例を示した説明図である。
【図４】図４は、店舗サーバのハードウェア構成を示すブロック図である。
【図５】図５は、ＰＯＳ端末の機能構成を示すブロック図である。
【図６】図６は、ＰＯＳ端末が実行する価値カード有効化処理の手順を示すフローチャートである。
【図７】図７は、金額入力画面の画面構成例を示す図である。
【図８】図８は、エラー画面の画面構成例を示す図である。
【図９】図９は、金額選択画面の画面構成例を示す図である。
【図１０】図１０は、店員用表示器に表示される確認画面の画面構成例を示す図である。
【図１１】図１１は、客用表示器に表示される確認画面の画面構成例を示す図である。
【図１２】図１２は、点検レポートの印字構成例を示す図である。
【図１３】図１３は、金額選択画面のその他の構成例を示す図である。
【発明を実施するための形態】
【０００８】
図１は、本実施形態にかかるカード販売システム１００の概略構成図である。コンビニエンスストア等の店舗ａ〜ｃは、少なくとも１台のＰＯＳ端末１を備えている。ＰＯＳ端末１は、商品の売上登録処理を行う販売データ処理装置である。尚、図１では複数台のＰＯＳ端末１が店舗サーバ４に接続されて使用される例について示しているが、店舗において用いられるＰＯＳ端末１の台数は特に限定されない。
【０００９】
店舗サーバ４は、ＰＯＳ端末１から受信したデータやその他データを統括管理し、店舗の売上管理、在庫管理、経費管理等を行うサーバ装置である。店舗サーバ４とＰＯＳ端末１とは店内に設けられたＬＡＮ（Local  Area  Network）等の接続回線３で接続されている。店舗サーバ４は、専用回線８により本部サーバ６と接続されている。
【００１０】
本部サーバ６は、複数の店舗での売上管理や在庫管理等を行うサーバである。本部サーバ６は、専用回線２によって有効化サーバ７に接続されている。有効化サーバ７は、価値カードの有効化処理等を管理するサーバである。尚、有効化サーバ７の機能については、ネットワーク接続された複数のサーバ装置が同様の機能を実現してもよい。
【００１１】
ＰＯＳ端末１は、価値カードの代金決済後、価値カードのカードＩＤを有効化サーバ７に送信する。有効化サーバ７は、カードＩＤと有効化の有無を対応付けるデータベース（不図示）に受信したカードＩＤを有効化済として記録する。これにより、価値カードの利用を受付けるＷｅｂページやアプリケーション等を介して、有効化サーバ７は利用申込みを受付けたカードＩＤの有効化の有無を確認できる。そして、有効化されているカードＩＤであれば、当該価値カード内にチャージされているチャージ額（入金額）またはポイント、通貨等の利用を許可し、商品購入やサービス提供に利用可能とする。
【００１２】
次に、各装置の機能構成について説明する。
【００１３】
まず、本部サーバ６について説明する。図２は、本部サーバ６のハードウェア構成を示すブロック図である。本部サーバ６は、ＣＰＵ、ＲＯＭ、ＲＡＭ等で構成されるコンピュータ構成の制御部６１を備える。また、制御部６１にはバス６２及びＩ／Ｏ機器制御部６４を介して、キーボード６５、表示器６６、プリンタ６７及びＨＤＤ６８が接続されている。制御部６１は、通信Ｉ／Ｆ（Interface）６３及び専用回線８を介して店舗サーバ４との間でデータ通信を行う。
【００１４】
ＨＤＤ６８は、制御部６１のＣＰＵを動作させる各種プログラムの他、有効化管理ファイル６８０、商品マスタ６８１および価値カードマスタ６８２を格納している。
【００１５】
有効化管理ファイル６８０は、価値カードおよびバリアブル価値カードについて、そのカードＩＤごとに、有効化の状態を記憶、管理するためのファイルである。有効化状態の管理は従来と同様に行えばよいのでここでの詳述は省略する。一例として、有効化管理ファイル６８０は、そのカードＩＤごとに、価値カードが有効化されているかまだ有効化されていないかを示すフラグ値を記憶し、当該フラグ値により有効化の有無を管理する。
【００１６】
商品マスタ６８１は、一般商品、即ち本実施形態では価値カード以外の商品全般にかかる商品情報を管理するマスタファイルである。より詳細には、商品マスタ６８１は、商品コード、商品名、販売会社、価格等の商品情報を対応付けている。
【００１７】
価値カードマスタ６８２は、価値カード用に設けられた商品マスタである。尚、価値カードマスタ６８２は商品マスタ６８１に含まれていてもよい。
【００１８】
本部サーバ６は商品マスタ６８１および価値カードマスタ６８２を更新、管理し、更新後のデータを系列店舗の店舗サーバ４に配布する。店舗サーバ４は配布されたデータに基づき自装置の商品マスタ４８１および価値カードマスタ４８２（ともに図４参照）を更新する。そして、同店舗内のＰＯＳ端末１は、所定のタイミングやデータ更新の指示を受付けた際に、店舗サーバ４の商品マスタ４８１および価値カードマスタ４８２に最新データを問い合わせる。そして、ＰＯＳ端末１は、店舗サーバ４の最新データをコピーし、商品マスタ２０１および価値カードマスタ２０２（ともに図５参照）を更新する。
【００１９】
ここで、価値カードマスタ６８２、４８２、２０２のデータ構成例について説明する。価値カードマスタ６８２、４８２、２０２のデータは上述のように同期されるので、ここでは価値カードマスタ６８２を説明の対象とする。
【００２０】
図３は、価値カードマスタ６８２のデータ構成例を示した説明図である。図３に示すように、価値カードマスタ６８２には、同一名称の価値カードに対して設定された商品コードと、会計用の商品コード（会計コード）とが登録されている。
【００２１】
また、価値カードマスタ６８２には、価値カードの販売方式がフラグ値によって判別可能に登録されている。即ち、Ｎｏ．１〜２のようにフラグ値が０であれば、その価値カードは、従来型の固定額販売方式の価値カードであることを示す。なお、従来型の固定額販売方式の価値カードについてはその額面金額（券面額）が登録されている。
【００２２】
Ｎｏ．３〜５のようにフラグ値が１（第１設定）であれば、その価値カードは、任意の金額を入金可能なタイプ（即ち、金額入力型）のバリアブル価値カードであることを示す。Ｎｏ．６〜１１のようにフラグ値が２（第２設定）であれば、その価値カードは、選択肢として設けられた複数の固定入金額のうち１つを選択して入金することができるタイプ（即ち、金額選択型）のバリアブル価値カードであることを示す。
【００２３】
そして、価値カードマスタ６８２は、販売方式のフラグ値が１または２であるバリアブル価値カードについて、入金額に応じて、会計コード（第２商品コード）を割り当てている。会計コードは、入金額すなわち売上高に応じて各商品に割り当てられるコードであり、売上データ管理、点検レポート、そして、売上分析等に利用することができる。
【００２４】
ここで、バリアブル価値カードは、客によって入金額が決定されるため、予め商品コードに販売価格を対応付けておくことができない。そこで本実施形態では、販売価格すなわち入金額に応じて会計コードを割り付けた。これにより本実施形態においては、同一商品コード、同一商品名のバリアブル価値カードを、販売価格に応じて区分分けすることが可能となる。つまりＰＯＳ端末１は、同一商品名のバリアブル価値カードについて、その実際の販売価格、または実際の販売価格帯ごとに売上実績を分けて計上することが可能となる。
【００２５】
会計コードの割当方法の一例について説明する。
【００２６】
・金額入力型（Ｎｏ．３〜５）
一例として、１５００〜５００００（通貨単位省略）の金額範囲で入金可能なバリアブル価値カードについて説明する。価値カードマスタ６８２は、入金可能な金額範囲１５００〜５００００を複数（この場合３つ）に分割し、１５００〜６０００の入金については会計コード７９１１００を割り当て、６００１〜２００００の入金については会計コード７９１１０１を割り当て、２０００１〜５００００の入金については会計コード７９１１０２を割り当てている。尚、各会計コードの金額範囲は他の会計コードの金額範囲と重複しないよう設定される。これによりＰＯＳ端末１は、各金額範囲に対応する会計コードを択一的に抽出することができる。
【００２７】
・金額選択型（Ｎｏ．６〜１１）
価値カードマスタ６８２は、選択可能な固定入金額ごとに、会計コードをそれぞれ割り当てている。これによりＰＯＳ端末１は、選択された固定入金額に応じて、択一的に会計コードを抽出することができる。
【００２８】
尚、以下では、価値カード、バリアブル価値カードを総称して「価値カード」と記載する。価値カードかバリアブル価値カードかについては図３の販売方式を示すフラグ値により判別可能である。
【００２９】
次に、店舗サーバ４について説明する。図４は、店舗サーバ４のハードウェア構成を示すブロック図である。店舗サーバ４は、ＣＰＵ、ＲＯＭ、ＲＡＭ等で構成されるコンピュータ構成の制御部４１を備えている。また、制御部４１にはバス４２及びＩ／Ｏ機器制御部４４を介して、キーボード４５、表示器４６、プリンタ４７及びＨＤＤ（Hard  Disk  Drive）４８が接続されている。
【００３０】
制御部４１は、通信Ｉ／Ｆ４３１及び接続回線３を介してＰＯＳ端末１との間でデータ通信を行う。また、制御部４１は、通信Ｉ／Ｆ４３２及び専用回線８を介して本部サーバ６との間でデータ通信を行う。また、制御部４１は、ＰＯＳ端末１からの要求に応じて、本部サーバ６に各種データを送信するように要求する。加えて、制御部４１は、本部サーバ６から受信したデータを、要求のあったＰＯＳ端末１に送信する。
【００３１】
ＨＤＤ４８には、制御部４１のＣＰＵを動作させる各種制御プログラムの他、商品マスタ４８１、価値カードマスタ４８２、売上データファイル（不図示）等の各種データファイルを格納している。
【００３２】
また、制御部４１は所定時刻となると、あるいは店員が指示を入力すると、本部サーバ６から最新の商品マスタ６８１および価値カードマスタ６８２をダウンロードし、ＨＤＤ４８内の商品マスタ４８１および価値カードマスタ４８２を更新する。尚、データ更新法は特に限定されず、差分データによりマスタデータを更新してもよい。
【００３３】
次に、ＰＯＳ端末１について説明する。図５は、ＰＯＳ端末１の機能構成を示すブロック図である。ＰＯＳ端末１は、ＣＰＵ、ＲＯＭ、ＲＡＭ等で構成されるコンピュータ構成の制御部１１を備える。また、制御部１１にはバス１２及びＩ／Ｏ機器制御部１４を介して、キーボード１５、スキャナ１６、店員用表示器１７、客用表示器１８、プリンタ１９、ＨＤＤ（Hard  Disk  Drive）２０、磁気カードＲＷ（リーダライタ）２１、非接触式ＲＷ２２、スピーカ２３が接続されている。店員用表示器１７は、例えば液晶ディスプレイなどの表示装置である。店員用表示器１７の表示画面上には、タッチパネルが積層されている。
【００３４】
ＨＤＤ２０には、制御部１１が実行する各種プログラムの他、商品マスタ２０１、価値カードマスタ２０２が格納される。制御部１１は、所定時刻または更新指示をトリガとして、店舗サーバ４の商品マスタ４８１および価値カードマスタ４８２をコピーし、当該コピーデータにより、ＨＤＤ２０内の商品マスタ２０１および価値カードマスタ２０２を更新する。
【００３５】
磁気カードＲＷ２１は、磁気記憶式のポイントカード等に対してデータの読み書きを行う。尚、ポイントカードは磁気記憶式に限定されず、その他の記憶方式のカードを用いてもよい。その場合、ポイントカードのＲＷとしては、カードの記憶方式に沿うタイプのＲＷを用いる。非接触式ＲＷ２２は、非接触式ＩＣカード、あるいは、非接触式ＩＣチップを搭載した携帯型電子機器に対してデータの読み書きを行う。
【００３６】
制御部１１は、通信Ｉ／Ｆ１３及び接続回線３を介して店舗サーバ４との間でデータ通信を行う。また、制御部１１は、専用回線８を更に介して本部サーバ６とデータ通信を行う。また、制御部１１は、専用回線２を更に介して有効化サーバ７とデータ通信を行う。次に、制御部１１が実行する本実施形態のプログラムについて説明する。
【００３７】
なお、本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３８】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００３９】
本実施形態のＰＯＳ端末１で実行されるプログラムは、図５に示すように、受付部５１、表示制御部５２、音声出力部５３、売上登録部５４、有効化通信部５５、印字制御部５６を含むモジュール構成となっている。実際のハードウェアとしてはＣＰＵ（プロセッサ）が上記記憶媒体（ＲＯＭ）から本実施形態のプログラムを読み出して実行することにより上記各部が主記憶装置上にロードされる。そして、ＣＰＵが主記憶装置上に受付部５１、表示制御部５２、音声出力部５３、売上登録部５４、有効化通信部５５、印字制御部５６を生成する。
【００４０】
受付部５１は、キーボード１５、スキャナ１６、磁気カードＲＷ２１、非接触式ＲＷ２２、店員用表示器１７および客用表示器１８に積層されたタッチパネルに対する入力を受付ける。
【００４１】
また、受付部５１は、価値カードからカードＩＤを読み取る。即ち一例として、本実施形態の価値カードにはコードシンボルが付されている。当該コードシンボルには、その価値カードの商品コードと、価値カードをユニークに識別するための識別子であるカードＩＤがエンコードされている。スキャナ１６が価値カードに付されたコードシンボルを読み取ると、受付部５１は、当該コードシンボルをデコードする。そして、価値カードの商品コードとカードＩＤとを読み取り、その入力を受付ける。また、受付部５１は、入力を受付けた商品コードに対応するフラグ値を、価値カードマスタ２０２から読み込む。
【００４２】
尚、これら情報の読み取り方法および入力方法については特に限定されるものではない。スキャナ１６はレーザー読取式でもよいし撮像素子を用いた撮像方式でもよい。また、情報の読み取りはスキャナ１６以外にも、キーボード１５や磁気カードＲＷ２１、非接触式ＲＷ２２など他の入力装置が行ってもよい。
【００４３】
表示制御部５２は、店員用表示器１７および客用表示器１８に各種表示データを出力し、店員用表示器１７および客用表示器１８における表示動作を制御する。例えば、表示制御部５２は、金額入力画面７１（図７参照）、エラー画面７２（図８参照）、金額選択画面７３（図９参照）、確認画面７５（図１０参照）などを店員用表示器１７に表示する。また、表示制御部５２は、確認画面８０（図１１参照）などを客用表示器１８に表示する。画面構成例については後述する。
【００４４】
音声出力部５３は、ＨＤＤ２０に予め格納されている音声データやアラーム音のデータをスピーカ２３に出力する。
【００４５】
売上登録部５４は、受付部５１が金額入力画面７１（図７参照）または金額選択画面７３（図９参照）から受付けた入金額に対応付けられた会計コード（図３参照）を価値カードマスタ２０２から読み込む。そして、受付部５１が受付けた価値カードの商品コードと、入金額と、会計コードとを対応付けて、価値カードの売上データを生成する。尚、売上データには、価値カードの名称、入金額範囲など、その他の情報を含めてもよい。
【００４６】
また、売上登録部５４は、複数取引分の売上データを合算し、価値カードの売上記録として、入金額ごと、あるいは、入金範囲ごとの売上合計額を算出する。そして、算出結果を点検レポートデータとして生成し、印字制御部５６に出力する。
【００４７】
有効化通信部５５は、価値カードを有効化するための有効化情報を、有効化サーバ７に出力する。尚、有効化情報は少なくとも、受付部５１が受付けたカードＩＤと、価値カードの入金額とを含む。
【００４８】
印字制御部５６は、プリンタ１９の印字動作を制御してレシートや点検レポートを印刷する。
【００４９】
次に、ＰＯＳ端末１が実行する価値カード有効化処理の手順例について説明する。図６は、ＰＯＳ端末１が実行する価値カード有効化処理の手順を示すフローチャートである。
【００５０】
例えば、スキャナ１６が価値カードに付されたコードシンボルを読み取る。すると、受付部５１は、当該コードシンボルをデコードして価値カードの商品コードおよびカードＩＤを読み取り、その入力を受付ける（ステップＳ１）。さらに受付部５１は、ステップＳ１で受付けた商品コードに対応するフラグ値を、価値カードマスタ２０２から読み込む（ステップＳ１）。
【００５１】
そして、フラグ値が１であれば（ステップＳ２：Ｙｅｓ）、表示制御部５２は金額入力画面７１（図７参照）を店員用表示器１７に表示する（ステップＳ３）。フラグ値が１でなければ（ステップＳ２：Ｎｏ）ステップＳ６に移行する。
【００５２】
図７は、金額入力画面７１の画面構成例を示す図である。金額入力画面７１の画面構成例について、図３の価値カードマスタ２０２のデータ例を参照して説明する。一例としてステップＳ１で商品コード：７９０００３の入力を受付けると、受付部５１は、価値カードマスタ２０２（図３参照）から商品コード：７９０００３に対応する販売方式のフラグ値：１を読み込む。また、受付部５１は、商品コード：７９０００３の入金可能範囲を価値カードマスタ２０２から読み込む。図３の例では、商品コード：７９０００３の入金可能範囲は、１５００〜５００００（通貨単位は省略）と設定されている。表示制御部５２は図７に示すように、入金可能範囲が１，５００〜５０，０００であることを金額入力画面７１に表示する。尚、音声出力部５３は、金額入力画面７１の表示時に入金可能範囲を音声出力して報知してもよい。
【００５３】
また、図７に示すように、金額入力画面７１にはテンキーが設けられており、価値カードへの入金額をタッチ入力により入力可能となっている。受付部５１は、金額入力画面７１において入力された値を価値カードへの入金額として受付ける。受付部５１は、受付けた入金額が、価値カードマスタ２０２から読み込んだ入金可能範囲内であるか否かを判定する（ステップＳ４）。受付部５１は金額入力画面７１（図７参照）において入金可能範囲内の入金額を受付けると（ステップＳ４：Ｙｅｓ）、入金額に対応する会計コードを価値カードマスタ２０２から読み込む。そして、ステップＳ１０に移行する。
【００５４】
一方、入金可能範囲外の入金額を受付けると（ステップＳ４：Ｎｏ）、表示制御部５２は、図８に示すようなエラー画面７２を店員用表示器１７に表示し、エラー発生を報知する（ステップＳ５）。また、音声出力部５３は、エラー発生を報知する音声またはブザー音をスピーカ２３から出力する。
【００５５】
図８は、エラー画面７２の画面構成例を示す図である。エラー画面７２には、金額入力画面７１において入力された入金額が入金可能範囲外である旨のメッセージが表示される。また、エラー画面７２には、エラー報知の音声またはブザー音の出力を停止させるための音停止ボタン７２１が設けられている。音声出力部５３は、音停止ボタン７２１がタッチ操作されると、スピーカ２３にエラー報知の音声またはブザー音の出力を停止させる。その後、ステップＳ３に移行する。
【００５６】
受付部５１は、ステップＳ２：Ｎｏであれば続けてフラグ値が２か否かを判定する（ステップＳ６）。フラグ値が２であれば（ステップＳ６：Ｙｅｓ）、表示制御部５２は金額選択画面７３（図９参照）を店員用表示器１７に表示する（ステップＳ７）。
【００５７】
図９は、金額選択画面７３の画面構成例を示す図である。金額選択画面７３の画面構成について、図３の価値カードマスタ２０２のデータ例を参照して説明する。一例として、ステップＳ１において受付けた価値カードの商品コードが７９０００４である場合について説明する。価値カードマスタ２０２（図３参照）には、商品コード：７９０００４に対して、Ｎｏ．６〜１１の６つの固定入金額が設定されている。表示制御部５２は、各固定入金額を選択するための選択ボタン７４ａ〜７４ｆを金額選択画面７３内に配置して表示する。
【００５８】
受付部５１は、選択ボタン７４ａ〜７４ｆに対する選択操作を受付けて、対応する価値カードの名称や入金額、会計コード等の情報を価値カードマスタ２０２から読み込む（ステップＳ８）。そして、表示制御部５２は、価値カードの名称や入金額を確認するための確認画面７５、８０（図１０、図１１参照）を、店員用表示器１７、客用表示器１８にそれぞれ表示する（ステップＳ１０）。尚、表示制御部５２は、ステップＳ４：Ｙｅｓの場合にも同様に、価値カードマスタ２０２から読み込んだ価値カードの名称、入金額、会計コード等の情報に基づいて確認画面７５、８０を表示する。
【００５９】
図１０は、店員用表示器１７に表示される確認画面７５の画面構成例を示す図である。店員用の確認画面７５には、客用表示器１８に入金額が表示されていること、および、客に確認操作を促す旨のガイダンスメッセージが表示される。
【００６０】
図１１は、客用表示器１８に表示される確認画面８０の画面構成例を示す図である。客用の確認画面８０には、価値カードの名称と、入金額（購入金額、チャージ額）が表示される。また、確認画面８０には、入金額を確認した上で確認操作を促す旨のメッセージが表示される。確認画面８０には、確認操作を受付けるための確認ボタン８１が設けられている。受付部５１は、確認ボタン８１の操作を受付けた場合に次のステップＳ１１に処理を進める。
【００６１】
確認ボタン８１の操作を受付けると、売上登録部５４は、ステップＳ１で受付けた商品コード及びカードＩＤと、上述のように価値カードマスタ２０２から読み込んだ会計コードとを対応付けて、売上データを生成する。そして、現計キー等、締め処理を行うためのキー操作を受付けると、売上登録部５４は、支払額の入力および釣銭額の算出、ドロワ入金等の会計処理を行い、当該取引の売上データを売上ファイル（不図示）に登録する（ステップＳ１１）。尚、客が他の商品を併せて購入する場合はそれら商品の売上データも含めて会計処理を行う。
【００６２】
なお、ステップＳ６においてフラグ値が２でなければ（ステップＳ６：Ｎｏ）、フラグ値は０であり、ステップＳ１で受付けた商品コードの価値カードは、従来の固定額タイプの価値カードである。この場合、受付部５１は、ステップＳ１で受付けた商品コードに対応する価値カードの名称、券面額、会計用コード等の情報を、価値カードマスタ２０２から読み込む（ステップＳ９）。そして、ステップＳ１１に移行する。
【００６３】
有効化通信部５５は、ステップＳ１１で会計処理が為された価値カードについて、少なくともカードＩＤと入金額とを含めた有効化情報を、有効化サーバ７に出力する（ステップＳ１２）。有効化のデータ通信処理については、従来と同様の技術を用いればよい。
【００６４】
印字制御部５６は、所定時刻となった場合、あるいは、点検レポートを出力する旨の指示を受付けた場合に、点検レポートを印字する（ステップＳ１３）。
【００６５】
図１２は、点検レポートの印字構成例を示す図である。点検レポートとは、所定期間（例えば、営業日１日分）に行われた複数取引分の売上データを合算し、売上項目毎、あるいは、カード種類ごとに販売記録を分けて、レシート用紙に印字出力したレポートのことである。
【００６６】
図１２に示すように、点検レポート９０には、各種カード類の販売記録が記される。点検レポート９０には、販売（発券）に関する記録と、返品に関する記録とが含まれる。図１２では、商品名がＡＡＡカードである価値カードについて、カードの種類別（販売方式別）、および、販売価格帯（入金額範囲）ごとに販売記録９１〜９３を記した例を示している。
【００６７】
即ち、一番上には、固定額販売方式の「ＡＡＡカード  １５００」の販売記録９１が記されている。そしてその次に、金額入力方式の「ＡＡＡカード」について、入金額範囲ごと、すなわち販売価格帯ごとに、１５００−６０００の販売記録９２と、６００１−２００００の販売記録９３とが順に記されている。金額入力方式のＡＡＡカードについては、カード名称の隣に、入金範囲に対応する会計コードが付記される。尚、図示しないが、金額選択方式の価値カードが販売された場合には、入金額ごとにその販売記録が記され、入金額に対応する会計コードが付記される。
【００６８】
このように、本実施形態の印字制御部５６は、価値カードへの入金額ごと、あるいは価値カードの入金額範囲（販売価格帯）ごとに、販売記録を印字する。これにより、予め設定された入金可能範囲内において、どのような入金額が多く販売されやすいかについて知ることができ、購買データ分析に役立てることができる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７０】
例えば、金額選択画面７３（図９参照）に、金額入力画面７１（図７参照）に移行するための操作ボタンを設けてもよい。図１３は、金額選択画面のその他の構成例を示す図である。図１３に示す例では、金額選択画面７６において、６つの固定金額を選択するための操作ボタン７７ａ〜７７ｆに加え、任意の金額を入力するための操作ボタン７７ｇを設けた例を示した。操作ボタン７７ｇの選択操作を受付けると、表示制御部５２は図７に示したような金額入力画面７１を店員用表示器１７に表示する。尚、任意金額を受付ける際の受付可能な入力金額については、適宜設定されればよい。
【００７１】
また、上述では、本実施形態の販売データ処理装置としてＰＯＳ端末１を用いた例について説明したが、実施形態はこれに限定されない。客自身が売上登録処理を行うセルフＰＯＳ端末に、上記実施形態を適用してもよい。
【００７２】
以上説明したとおり、本実施形態のＰＯＳ端末１は、商品コードに対応する販売方式（入金方式）を価値カードマスタ２０２から読み込み、販売方式に応じて、金額入力画面７１または金額選択画面７３のいずれかを選択的に表示する。このように、価値カードの販売方式に応じて操作画面を切り替えるため、本実施形態によれば、バリアブル価値カードの入金額の登録処理を簡便化することができる。
【符号の説明】
【００７３】
１…ＰＯＳ端末、２０２…価値カードマスタ、１１…制御部、５１…受付部、５２…表示制御部、５３…音声出力部、５４…売上登録部、５５…有効化通信部、５６…印字制御部、７１…金額入力画面、７２…エラー画面、７３…金額選択画面、７５…確認画面、７６…金額選択画面、８０…確認画面、９０…点検レポート。
【先行技術文献】
【特許文献】
【００７４】
【特許文献１】特開２０１２−１７３８５２号公報
【図１】
0006295163.tif 000002
【図２】
0006295163.tif 000003
【図３】
0006295163.tif 000004
【図４】
0006295163.tif 000005
【図５】
0006295163.tif 000006
【図６】
0006295163.tif 000007
【図７】
0006295163.tif 000008
【図８】
0006295163.tif 000009
【図９】
0006295163.tif 000010
【図１０】
0006295163.tif 000011
【図１１】
0006295163.tif 000012
【図１２】
0006295163.tif 000013
【図１３】
0006295163.tif 000014